(57)【要約】【課題】簡易二温度方式から二温度方式への切り換えを容易に行うことができる温度方式変換ユニットを提供することを目的とする。【解決手段】温度方式変換ユニットは、二温度方式の温水循環暖房システムに用いられる熱源機１における、高温の温水及び低温の温水の二温度の温水が排出される高温温水排出口Ｐｆ１２、及び低温温水排出口Ｐｆ１５に対応する２つの入口４１、４２と、熱源機１から２つの入口４１、４２のうち少なくとも１つの入口を介して導入される温水を排出可能であり、簡易二温度方式の温水循環暖房システムに用いられるヘッダ３０の一つの接続口３１に対応する１つの出口４３と、２つの入口４１、４２と出口４３との間に設けられ、２つの入口４１、４２から導入される高温の温水及び低温の温水の流量を調整して１つの出口４３に案内する三方弁５０とを備える。【選択図】図４
2020165559.tif 000002
【特許請求の範囲】
【請求項１】
二温度方式の温水循環暖房システムに用いられる熱源機における、高温の温水及び低温の温水の二温度の温水が排出される高温温水排出口及び低温温水排出口に対応する２つの入口と、
前記熱源機から前記２つの入口のうち少なくとも１つの入口を介して導入される温水を排出可能であり、簡易二温度方式の温水循環暖房システムに用いられる温水分配器の一つの接続口に対応する１つの出口と、
前記２つの入口と前記出口との間に設けられ、前記２つの入口から導入される前記高温の温水及び前記低温の温水の流量を調整して前記１つの出口に案内する調整弁と、
を備える温度方式変換ユニット。
【請求項２】
前記調整弁を制御して前記高温の温水及び前記低温の温水の流量を制御する制御部を備える、請求項１に記載の温度方式変換ユニット。
【請求項３】
前記調整弁と前記出口との間を通流する温水の温度を検出する温度検出器を備え、
前記制御部は、前記温度検出器が検出した温水の温度に基づいて前記調整弁を制御する、請求項２に記載の温度方式変換ユニット。
【請求項４】
前記調整弁は３つの切換口を有する三方弁であり、２つの切換口はそれぞれ前記２つの入口に接続され、１つの切換口は前記１つの出口に接続される、請求項１〜３のいずれか１項に記載の温度方式変換ユニット。
【請求項５】
前記二温度方式の温水循環暖房システムには高温暖房端末及び低温暖房端末が含まれており、
前記高温暖房端末のみが使用される場合は、前記調整弁は、前記熱源機から前記高温の温水が排出される１つの入口と前記１つの出口とを接続し、
前記低温暖房端末のみが使用される場合は、前記調整弁は、前記熱源機から前記低温の温水が排出される１つの入口と前記１つの出口とを接続し、
前記高温暖房端末及び前記低温暖房端末の両方が使用される場合は、前記調整弁は、前記熱源機から前記高温の温水が排出される１つの入口及び前記熱源機から前記低温の温水が排出される１つの入口と前記１つの出口とを接続する、請求項１〜４のいずれか１項に記載の温度方式変換ユニット。
【請求項６】
前記温度方式変換ユニットは、前記二温度方式の熱源機と前記簡易二温度方式の温水分配器との間の流路のうち、前記二温度方式の熱源機に近い位置に設けられている、請求項１〜５のいずれか１項に記載の温度方式変換ユニット。
【発明の詳細な説明】
【技術分野】
【０００１】
本発明は、温度方式変換ユニットに関する。
【背景技術】
【０００２】
特許文献１には、熱源機と暖房端末との間で温水を循環させる温水循環暖房システムが開示されている。特許文献１の温水循環暖房システムでは、１つの熱源機から高温暖房端末及び低温暖房端末それぞれに高温の温水及び低温の温水を供給するいわゆる二温度方式が採用されている。二温度方式の熱源機は、高温暖房端末及び低温暖房端末それぞれに対応した２つの温水排出口を有しており、熱源機の２つの温水排出口のうち一方は高温用の流路を介して高温暖房端末に接続され、２つの温水排出口のうちもう一方は低温用の流路を介して低温暖房端末に接続されている。よって、二温度方式の熱源機からは、高温用の流路を介して高温暖房端末に高温の温水が供給され、低温用の流路を介して低温暖房端末に低温の温水が供給される。
【０００３】
一方で、熱源機が１つの温水排出口のみを有しており、熱源機の１つの温水排出口と高温暖房端末及び低温暖房端末とが接続されている、いわゆる簡易二温度方式の温水循環暖房システムも存在している。簡易二温度方式の熱源機は温水排出口が１つのみであるため、熱源機からは一温度の温水のみが供給可能である。そこで、簡易二温度方式の熱源機の１つの温水排出口と高温暖房端末及び低温暖房端末とは、当該熱源機からの一温度の温水を分配するヘッダに接続されている。そして、高温暖房端末に高温の温水を供給する場合には、当該熱源機からの高温の温水を高温暖房端末に分配するようにヘッダの分配経路を切り換える。一方、低温暖房端末に低温の温水を供給する場合には、当該熱源機からの低温の温水を低温暖房端末に分配するようにヘッダの分配経路を切り換える。
【先行技術文献】
【特許文献】
【０００４】
【特許文献１】特開２０００−１９３２５４号公報
【発明の概要】
【発明が解決しようとする課題】
【０００５】
近年、簡易二温度方式の温水循環暖房システムから、二温度方式の温水循環暖房システムに切り換える要望が増加している。既存の設備を流用できるとの観点から、簡易二温度方式の温水循環暖房システムのうち熱源機を、二温度方式の熱源機に切り換える方法が提案されている。つまり、簡易二温度方式の温水循環暖房システムのうちヘッダ、暖房端末及び配管等を残したまま、熱源機のみを交換する。
【０００６】
簡易二温度方式の温水循環暖房システムのうち熱源機を二温度方式の熱源機に切り換えるには、新たに導入する２つの温水排出口（高温温水排出口、低温温水排出口）を有する二温度方式の熱源機と、既存の１つの温水排出口のみを有する簡易二温度方式のヘッダとを接続する必要がある。しかし、簡易二温度方式の温水循環暖房システムでは、分配された温水をすぐに暖房端末に供給できるようにするため、暖房端末の近傍にヘッダが配置されている場合がある。この場合、ヘッダは熱源機から離れた、例えば施設の床下に配置されている。よって、新たに導入する２つの温水排出口を有する二温度方式の熱源機と、既存の１つの温水排出口のみを有する簡易二温度方式のヘッダとを接続することが設置場所の確保等の観点から困難な場合があり、二温度方式への切り換えの障害となっている。
【０００７】
そこで、本発明は上述の課題に鑑みてなされたものであり、簡易二温度方式から二温度方式への切り換えを容易に行うことができる温度方式変換ユニットを提供することを目的とする。
【課題を解決するための手段】
【０００８】
本発明に係る温度方式変換ユニットの特徴構成は、
二温度方式の温水循環暖房システムに用いられる熱源機における、高温の温水及び低温の温水の二温度の温水が排出される高温温水排出口及び低温温水排出口に対応する２つの入口と、
前記熱源機から前記２つの入口のうち少なくとも１つの入口を介して導入される温水を排出可能であり、簡易二温度方式の温水循環暖房システムに用いられる温水分配器の一つの接続口に対応する１つの出口と、
前記２つの入口と前記出口との間に設けられ、前記２つの入口から導入される前記高温の温水及び前記低温の温水の流量を調整して前記１つの出口に案内する調整弁と、
を備える点にある。
【０００９】
上記特徴構成によれば、温度方式変換ユニットは、二温度方式の熱源機と簡易二温度方式の温水分配器との間に介在している。具体的には、温度方式変換ユニットは、上流側の２つの入口と下流側の１つの出口とを有している。温度方式変換ユニットの上流側の２つの入口は、それぞれ二温度方式の熱源機の高温温水排出口及び低温温水排出口の２つの温水排出口に対応している。また、温度方式変換ユニットの下流側の１つの出口は、簡易二温度方式の温水分配器の１つの接続口に対応している。１つの温水排出口を有する簡易二温度方式の熱源機から、高温温水排出口及び低温温水排出口の２つの温水排出口を有する二温度方式の熱源機に切り換えた場合に、新たな温水排出口が１つ増え、当該温水排出口からの温水を通流させるための配管を新たに追加で敷設する必要がある。
【００１０】
上記温度方式変換ユニットを採用した場合には、新たな温水排出口から、簡易二温度方式の温水分配器の接続口よりも手前の温度方式変換ユニットに至るまでの新たな配管を敷設すればよく、新たな温水排出口から温水分配器にまで至る長い配管を新たに追加で敷設する必要がない。例えば、温水分配器が床下等に配置されている場合には、作業空間が狭い、暗いなどの理由等によって温水分配器にまで至る配管を追加で敷設することが困難な場合がある。上記構成の温度方式変換ユニットを設けることで、このような困難を回避でき、二温度方式の熱源機を簡易二温度方式の温水循環暖房システムに適用して温水循環暖房システムを容易に構築可能である。
【００１１】
本発明に係る温度方式変換ユニットの更なる特徴構成は、
前記調整弁を制御して前記高温の温水及び前記低温の温水の流量を制御する制御部を備える点にある。
【００１２】
上記特徴構成によれば、制御部が調整弁が制御して高温の温水及び低温の温水の流量を制御することで、所望の温度の温水を温度方式変換ユニットの出口に案内することができる。
【００１３】
本発明に係る温度方式変換ユニットの更なる特徴構成は、
前記調整弁と前記出口との間を通流する温水の温度を検出する温度検出器を備え、
前記制御部は、前記温度検出器が検出した温水の温度に基づいて前記調整弁を制御する点にある。
【００１４】
上記特徴構成によれば、温度検出器が検出した温水の温度に基づいて調整弁が制御されるため、所望の温度の温水を温度方式変換ユニットの出口に案内することができる。特に温度方式変換ユニットの出口側の温水の温度を検出するため、温水分配器に所望の温度の温水を案内可能である。
【００１５】
本発明に係る温度方式変換ユニットの更なる特徴構成は、
前記調整弁は３つの切換口を有する三方弁であり、２つの切換口はそれぞれ前記２つの入口に接続され、１つの切換口は１つの出口に接続される点にある。
【００１６】
上記特徴構成によれば、簡易な三方弁により所望の温度を排出可能な調整弁を実現できる。
【００１７】
本発明に係る温度方式変換ユニットの更なる特徴構成は、
前記二温度方式の温水循環暖房システムには高温暖房端末及び低温暖房端末が含まれており、
前記高温暖房端末のみが使用される場合は、前記調整弁は、前記熱源機から前記高温の温水が排出される１つの入口と前記１つの出口とを接続し、
前記低温暖房端末のみが使用される場合は、前記調整弁は、前記熱源機から前記低温の温水が排出される１つの入口と前記１つの出口とを接続し、
前記高温暖房端末及び前記低温暖房端末の両方が使用される場合は、前記調整弁は、前記熱源機から前記高温の温水が排出される１つの入口及び前記熱源機から前記低温の温水が排出される１つの入口と前記１つの出口とを接続する点にある。
【００１８】
上記特徴構成によれば、高温の温水及び低温の温水を受け入れる２つの入口と、これらの入口から導入された温水を排出する１つの出口との接続状態を調整弁により調整する。これにより、高温暖房端末にのみ高温の温水を供給する場合、低温暖房端末にのみ低温の温水を供給する場合、及び、高温暖房端末及び低温暖房端末それぞれに高温の温水及び低温の温水を提供する場合のそれぞれに応じて所望の温水を温水分配器に案内可能である。
【００１９】
本発明に係る温度方式変換ユニットの更なる特徴構成は、
前記温度方式変換ユニットが、前記二温度方式の熱源機と前記簡易二温度方式の温水分配器との間の流路のうち、前記二温度方式の熱源機に近い位置に設けられている点にある。
【００２０】
上記特徴構成によれば、温度方式変換ユニットを二温度方式の熱源機に近い位置に設けることで、温度方式変換ユニットの敷設が容易であり、簡易二温度方式の温水循環暖房システムから二温度方式の温水循環暖房システムに温度方式を容易に変更できる。
【図面の簡単な説明】
【００２１】
【図１】二温度方式の温水循環暖房システムのブロック図である。
【図２】簡易二温度方式の温水循環暖房システムのブロック図である。
【図３】簡易二温度方式の温水循環暖房システムが採用されている施設における、熱源機、ヘッダ及び暖房端末の配置の一例を示すブロック図である。
【図４】温度方式変換ユニットを採用し、簡易二温度方式の温水循環暖房システムのうち熱源機を二温度方式の熱源機に切り換えた場合のシステムのブロック図である。
【図５】温度方式変換ユニットの三方弁での弁体の制御方法の説明図である。
【図６】温度方式変換ユニットの三方弁での弁体の制御方法の説明図である。
【図７】温度方式変換ユニットの三方弁での弁体の制御方法の説明図である。
【図８】温度方式変換ユニットを採用せずに、簡易二温度方式の温水循環暖房システムのうち熱源機を二温度方式の熱源機に切り換えた場合のシステムのブロック図である。
【発明を実施するための形態】
【００２２】
本発明の実施形態に係るに係る温度方式変換ユニットについて以下に説明する。
【００２３】
〔実施形態〕
本発明の実施形態に係るに係る温度方式変換ユニットは、簡易二温度方式の温水循環暖房システムから二温度方式の温水循環暖房システムへの温度方式の切り換えを容易にするために用いられる。
【００２４】
一般的な二温度方式の温水循環暖房システムには、高温の温水を排出する高温温水排出口と低温の温水を排出する低温温水排出口とを有する熱源機と、高温暖房端末と、低温暖房端末とが備えられている。二温度方式の熱源機は、高温温水排出口から高温の温水を高温暖房端末に供給し、低温温水排出口から低温の温水を低温暖房端末に供給する。
【００２５】
一方、一般的な簡易二温度方式の温水循環暖房システムには、所望の温度の温水を排出する温水排出口を有する熱源機と、高温暖房端末と、低温暖房端末とが備えられている。簡易二温度方式の熱源機は、二温度方式の熱源機とは異なり、１つの温水排出口のみが設けられており、高温温水排出口及び低温温水排出口というように２つ温水排出口は設けられていない。よって、温水排出口からの所望の温度の温水を高温暖房端末と低温暖房端末とに分配するために、簡易二温度方式の温水循環暖房システムには、熱源機と高温暖房端末及び低温暖房端末との間にヘッダが設けられている。そして、簡易二温度方式の熱源機からヘッダを介して、温水排出口から所望の温度の温水が高温暖房端末及び低温暖房端末に分配される。
【００２６】
（１）温水循環暖房システムの構成
上記では、一般的な二温度方式の温水循環暖房システム及び一般的な簡易二温度方式の温水循環暖房システムの概要について説明したが、それぞれのシステムの具体的構成についてさらに説明する。
【００２７】
（１−１）二温度方式の温水循環暖房システム
まず、図１を用いて一般的な二温度方式の温水循環暖房システム１００について説明する。
【００２８】
図１に示すように、一般的な二温度方式の温水循環暖房システム１００は、熱媒を加熱する熱源機１と、熱源機１による加熱により生成された温水が供給される暖房端末Ａ、Ｂ、Ｃ（低温暖房端末Ａ、Ｂ、高温暖房端末Ｃ）と、水道管に接続された給水路Ｌ２１からの水を加熱し、加熱後の湯水を浴槽給湯器及び台所用給湯器等に給湯する熱源機２とを備えている。
【００２９】
なお、熱源機１で加熱する熱媒は、これに限定されないが、例えば水又は温水である。
【００３０】
また、これに限定されないが、高温暖房端末Ｃは例えば浴室乾燥暖房機であり、低温暖房端末Ａ、Ｂは例えばそれぞれ床暖房装置である。
【００３１】
熱源機１は、熱媒である水を加熱する加熱部Ｈ１、及び水の膨張を吸収可能な暖房タンク１５を備えている。加熱部Ｈ１は、熱媒用バーナｇ１及び熱交換器ＥＸ１を備えている。熱媒用バーナｇ１には、燃料ガス（例えば、都市ガス１３Ａ）が供給され、燃料ガスを燃焼する。この燃料ガスの燃焼により生じる排ガスの熱が熱交換器ＥＸ１に供給され、熱交換器ＥＸ１内を通流する水又は温水が加熱される。
【００３２】
暖房タンク１５は、加熱部Ｈ１の上流側において、後述の熱媒戻り路Ｌ１４と低温熱媒往き路Ｌ１５との間に設けられている。暖房タンク１５は、熱媒である水の補給を受けて水を貯蓄可能であるとともに、暖房タンク１５内から水を排出可能に構成されている。このような構成により暖房タンク１５は、例えば暖房端末Ａ、Ｂ、Ｃ等での水及び温水の膨張等を吸収している。例えば、暖房タンク１５は、暖房端末Ａ、Ｂ、Ｃ等内の圧力を大気に開放することで水及び温水の膨張等を吸収している。
【００３３】
暖房タンク１５の入口には、暖房端末Ａ、Ｂ、Ｃから排出された低温の戻り温水が通流する熱媒戻り路Ｌ１４が接続されている。また、暖房タンク１５の出口には、低温の戻り温水に後述のバイパス路Ｌ１６から供給された高温の温水が混ぜられた低温の温水が通流する低温熱媒往き路Ｌ１５が接続されている。低温熱媒供給路Ｌ１１は、低温熱媒往き路Ｌ１５から分岐した流路であり、熱交換器ＥＸ１の入口に接続される。また、熱交換器ＥＸ１の出口には、高温の温水が通流するための高温熱媒往き路Ｌ１２が接続されている。
【００３４】
低温熱媒供給路Ｌ１１に設けられたポンプ（図示せず）が駆動されると、暖房タンク１５から低温熱媒供給路Ｌ１１を介して熱交換器ＥＸ１に低温の温水が供給される。そして、熱交換器ＥＸ１は、この供給された熱媒と排ガスの熱との間で熱交換を行い、低温の温水を加熱して高温の温水を排出する。高温の温水は、高温熱媒往き路Ｌ１２を通流し、高温暖房端末Ｃに供給するために用いられる。
【００３５】
高温熱媒往き路Ｌ１２と熱媒戻り路Ｌ１４との間には、バイパス路Ｌ１６が設けられている。これにより、熱媒戻り路Ｌ１４内を通流する低温の戻り温水に、高温熱媒往き路Ｌ１２内を通流する高温の温水が混ぜられ、低温の温水が生成される。低温の温水は、熱媒戻り路Ｌ１４及び暖房タンク１５を経て低温熱媒往き路Ｌ１５を通流し、低温暖房端末Ａ、Ｂに供給するために用いられる。
【００３６】
なお、これに限定されないが、二温度方式の温水循環暖房システムにおいて、高温の温水は例えば８０℃程度の温水であり、低温の温水は例えば６８℃〜７２℃程度の温水である。また、低温の戻り温水は、低温の温水よりも低く、例えば５０℃〜６０℃程度の温水である。
【００３７】
二温度方式の熱源機１は、高温熱媒往き路Ｌ１２に接続され高温の温水を排出する高温温水排出口Ｐｆ１２と、低温熱媒往き路Ｌ１５に接続され低温の温水を排出する低温温水排出口Ｐｆ１５と、熱媒戻り路Ｌ１４に接続され戻り温水を取り込む低温温水取込口Ｐｒ１４とを有している。
【００３８】
高温温水排出口Ｐｆ１２は高温熱媒往き路Ｌ１２αに接続され、高温熱媒往き路Ｌ１２内の高温の温水が、高温熱媒往き路Ｌ１２αを介して高温暖房端末Ｃに供給される。低温温水排出口Ｐｆ１５は低温熱媒往き路Ｌ１５αに接続されている。低温熱媒往き路Ｌ１５αは、低温熱媒往き路Ｌ１５αａ及び低温熱媒往き路Ｌ１５αｂに分岐している。そして、低温温水排出口Ｐｆ１５から排出された低温の温水が、低温熱媒往き路Ｌ１５αａを介して低温暖房端末Ａに供給され、低温熱媒往き路Ｌ１５αｂを介して低温暖房端末Ｂに供給される。
【００３９】
低温温水取込口Ｐｒ１４は熱媒戻り路Ｌ１４αに接続されている。熱媒戻り路Ｌ１４αには、熱媒戻り路Ｌ１４αａを介して低温暖房端末Ａからの低温の戻り温水が、熱媒戻り路Ｌ１４αｂを介して低温暖房端末Ｂからの低温の戻り温水が、熱媒戻り路Ｌ１４αｃを介して高温暖房端末Ｃからの低温の戻り温水が供給される。
【００４０】
一般的な二温度方式の温水循環暖房システム１００は以上のような構成であり、このシステム全体での温水の循環の流れを説明すると次の通りである。
【００４１】
加熱部Ｈ１により加熱された高温の温水が高温熱媒往き路Ｌ１２を介して熱源機１の高温温水排出口Ｐｆ１２から排出される。高温温水排出口Ｐｆ１２から排出された高温の温水は、高温熱媒往き路Ｌ１２αを介して高温暖房端末Ｃに供給され、高温暖房端末Ｃを経て低温の戻り温水となる。低温の戻り温水は、熱媒戻り路Ｌ１４αｃ、Ｌ１４αを介して低温温水取込口Ｐｒ１４から熱源機１に取り込まれ、熱媒戻り路Ｌ１４を介して暖房タンク１５に供給される。本実施形態では、低温暖房端末Ａ、Ｂを経た低温の戻り温水もまた低温温水取込口Ｐｒ１４から暖房タンク１５に供給される。この低温の戻り温水は、熱媒戻り路Ｌ１４を通流して暖房タンク１５に戻る過程で、バイパス路Ｌ１６から供給される高温の温水と混ざり、低温暖房端末Ａ、Ｂに供給可能な低温の温水に調整される。
【００４２】
高温の温水と低温の温水とが混ぜられて調整された低温の温水が、暖房タンク１５から低温熱媒往き路Ｌ１５及び低温温水排出口Ｐｆ１５を経て低温熱媒往き路Ｌ１５αに供給される。低温熱媒往き路Ｌ１５αはそれぞれ低温熱媒往き路Ｌ１５αａ、Ｌ１５αｂに分岐され、低温の温水がそれぞれ低温暖房端末Ａ、Ｂに供給される。そして、低温暖房端末Ａ、Ｂから排出された低温の戻り温水は、それぞれ熱媒戻り路Ｌ１４αａ、Ｌ１４αｂから排出され、熱媒戻り路Ｌ１４αを介して低温温水取込口Ｐｒ１４から暖房タンク１５に供給される。
【００４３】
低温熱媒往き路Ｌ１５からは低温熱媒供給路Ｌ１１が分岐しており、低温の温水が加熱部Ｈ１の熱交換器ＥＸ１の入口に導入される。低温の温水は熱交換器ＥＸ１で加熱されて再び高温の温水となる。以上のように、二温度方式の温水循環暖房システム１００においてでは、熱源機１と暖房端末Ａ、Ｂ、Ｃとの間で温水が循環する。
【００４４】
なお、二温度方式の温水循環暖房システム１００には、図１に示すように熱源機１とは別の熱源機２が備えられていてもよい。熱源機２は、給湯用バーナｇ２及び熱交換器ＥＸ２を備えている。給湯用バーナｇ２には、燃料ガス（例えば、都市ガス１３Ａ）が供給され、燃料ガスを燃焼する。この燃料ガスの燃焼により生じる排ガスの熱が熱交換器ＥＸ２に供給される。熱交換器ＥＸ２の入口には給水路Ｌ２１が接続されており、熱交換器ＥＸ２の出口には給湯路Ｌ２２が接続されている。よって、熱交換器ＥＸ２は、給水路Ｌ２１から供給された水と、排ガスの熱との間で熱交換を行い、水を加熱する。そして、熱交換器ＥＸ２で加熱された湯水は、給湯路Ｌ２２を介して図示しない給湯栓に出力される。
【００４５】
（１−２）簡易二温度方式の温水循環暖房システム
次に、図２を用いて一般的な簡易二温度方式の温水循環暖房システム２００について説明する。二温度方式の温水循環暖房システム１００と重複する構成は、簡単に説明するか説明を省略する。
【００４６】
図２に示すように、一般的な簡易二温度方式の温水循環暖房システム２００は、熱源機３と、暖房端末Ａ、Ｂ、Ｃ（低温暖房端末Ａ、Ｂ、高温暖房端末Ｃ）と、熱源機２とを備えている。図２の一般的な簡易二温度方式の熱源機２は、図１の一般的な二温度方式の熱源機２と同様であるので説明を省略する。
【００４７】
一般的な簡易二温度方式の熱源機３の加熱部Ｈ１及び暖房タンク１５の構成は、図１の一般的な二温度方式の熱源機１の加熱部Ｈ１及び暖房タンク１５と同様である。しかし、一般的な二温度方式の温水循環暖房システム１００では高温の温水及び低温の温水をそれぞれ別々に排出するための２つの温水排出口（高温温水排出口Ｐｆ１２及び低温温水排出口Ｐｆ１５）が設けられているのに対して、簡易二温度方式の温水循環暖房システム２００では所望の温度の温水のみを排出するための１つの温水排出口Ｐｆａ１２のみが設けられている点が大きく異なる。以下、この構成の違いについてさらに説明する。
【００４８】
前述の通り、図１の一般的な二温度方式の温水循環暖房システム１００では、高温の温水を供給するための高温温水排出口Ｐｆ１２及び低温の温水を供給するための低温温水排出口Ｐｆ１５が設けられている。そして、高温暖房端末Ｃには、高温温水排出口Ｐｆ１２からの高温の温水が高温熱媒往き路Ｌ１２αを介して供給される。一方、低温暖房端末Ａ、Ｂには、低温温水排出口Ｐｆ１５からの低温の温水が低温熱媒往き路Ｌ１５αａ、Ｌ１５αｂを介して供給される。低温温水排出口Ｐｆ１５から排出される低温の温水は、暖房端末Ａ、Ｂ、Ｃからの低温の戻り温水と高温熱媒往き路Ｌ１２を通流する高温の温水を混ぜることで生成される。
【００４９】
一方、図２の一般的な簡易二温度方式の温水循環暖房システム２００では、熱源機３は、暖房端末Ａ、Ｂ、Ｃ（低温暖房端末Ａ、Ｂ、高温暖房端末Ｃ）それぞれの所望の温度に応じた温水を排出しており、温水排出口としては温水排出口Ｐｆａ１２のみが設けられている。温水排出口Ｐｆａ１２から排出された所望の温度の温水は、ヘッダ（温水分配器）３０を介して低温暖房端末Ａ、Ｂ及び高温暖房端末Ｃに分配される。
【００５０】
より詳細に説明すると、熱源機３において生成された所望の温度の温水は温水排出口Ｐｆａ１２から排出され、ヘッダ３０に供給される。ヘッダ３０は、温水の供給を受ける入口である接続口３１と、供給された所望の温度の温水を分配して排出する出口３２ａ、３２ｂ、３２ｃとを有している。熱源機３の温水排出口Ｐｆａ１２とヘッダ３０の接続口３１とが、熱媒往き路Ｌ１２βを介して接続されている。よって、熱媒往き路Ｌ１２を通流する所望の温度の温水が熱媒往き路Ｌ１２βを経てヘッダ３０に供給される。そして、ヘッダ３０の出口３２ａ、３２ｂ、３２ｃそれぞれには、低温暖房端末Ａ、Ｂ、高温暖房端末Ｃそれぞれに温水を供給するための熱媒往き路Ｌ１２βａ、Ｌ１２βｂ、Ｌ１２βｃが接続されている。よって、ヘッダ３０は、暖房端末Ａ、Ｂ、Ｃの運転状態に応じて所望の温度の温水を分配し、それぞれ出口３２ａ、３２ｂ、３２ｃを介して熱媒往き路Ｌ１２βａ、Ｌ１２βｂ、Ｌ１２βｃに分配する。
【００５１】
例えば、高温暖房端末Ｃのみが運転される場合は、熱源機３は加熱量を調整して高温の温水（例えば８０℃の温水）を生成し、温水排出口Ｐｆａ１２から熱媒往き路Ｌ１２βを介してヘッダ３０に供給する。ヘッダ３０は、熱媒往き路Ｌ１２βからの高温の温水を熱媒往き路Ｌ１２βｃに分配し、高温暖房端末Ｃに供給する。
【００５２】
また、例えば低温暖房端末Ａのみが運転される場合は、熱源機３は加熱量を調整して低温の温水（例えば６０℃の温水）を生成し、温水排出口Ｐｆａ１２から熱媒往き路Ｌ１２βを介してヘッダ３０に供給する。ヘッダ３０は、熱媒往き路Ｌ１２βからの低温の温水を熱媒往き路Ｌ１２βａに分配し、低温暖房端末Ａに供給する。また、低温暖房端末Ｂのみが運転される場合も同様に、低温の温水がヘッダ３０に供給され、ヘッダ３０から熱媒往き路Ｌ１２βｂを介して低温の温水が低温暖房端末Ｂに供給される。
【００５３】
また、例えば低温暖房端末Ａ及び高温暖房端末Ｃがともに運転される場合は、熱源機３は例えば高温と低温との間の中温の温水（例えば７５℃の温水）を生成し、温水排出口Ｐｆａ１２から熱媒往き路Ｌ１２βを介してヘッダ３０に供給する。ヘッダ３０は、熱媒往き路Ｌ１２βからの中温の温水を熱媒往き路Ｌ１２βａ、Ｌ１２βｃに分配し、低温暖房端末Ａ、Ｃに供給する。低温暖房端末Ａにも中温の温水が供給されるため、低温暖房端末Ａに供給される熱量が多くなるが、熱動動弁の開閉時間を短縮するなどして調整される。
【００５４】
暖房端末Ａ、Ｂ、Ｃを経た低温の戻り温水は、それぞれ熱媒戻り路Ｌ１４βａ、Ｌ１４βｂ、Ｌ１４βｃから熱媒戻り路Ｌ１４βを介して低温温水取込口Ｐｒ１４から熱源機３に取り込まれ、熱媒戻り路Ｌ１４を経て暖房タンク１５に供給される。図２の一般的な簡易二温度方式の熱源機３においては、低温暖房端末Ａ、Ｂ、高温暖房端末Ｃそれぞれに所望の温度の温水を生成する。よって、二温度方式の熱源機１において高温の温水と低温の温水とを混ぜるために設けられている、熱媒往き路Ｌ１２と熱媒戻り路Ｌ１４との間のバイパス路Ｌ１６は設けられていない。
【００５５】
また、暖房タンク１５から排出され低温熱媒往き路Ｌ１５を通流する低温の温水は、熱源機３の外部に排出されることなく、低温熱媒供給路Ｌ１１を経て熱交換器ＥＸ１に戻る。
【００５６】
上述のヘッダ３０は、図３に示すように、施設５において熱源機３から離れた床下６に設けられている。これは、暖房端末Ａ、Ｂ、Ｃの近くにヘッダ３０を配置することで、分配された温水をすぐに暖房端末に供給できるようにし、温水の流れが悪くなるのを抑制するためである。例えば、ヘッダ３０から暖房端末Ａ、Ｂ、Ｃが離れていると、それだけ温水配管が長くなり温水の流れが悪くなる場合がある。
【００５７】
（２）簡易二温度方式から二温度方式への変更
【００５８】
（２−１）温度方式変換ユニットを用いた構成
次に、既存のシステムとして、簡易二温度方式の温水循環暖房システム２００（図２）を採用している場合において、当該簡易二温度方式の温水循環暖房システム２００の熱源機３に代えて、二温度方式の熱源機１（図１の二温度方式の温水循環暖房システム１００の熱源機１）を導入する場合について説明する。
【００５９】
上述の通り、二温度方式の熱源機１は、温水排出口として、高温の温水及び低温の温水をそれぞれ排出する高温温水排出口Ｐｆ１２及び低温温水排出口Ｐｆ１５を有している。
【００６０】
一方、簡易二温度方式の熱源機３は、温水排出口として、所望の温度の温水を排出する温水排出口Ｐｆａ１２のみを有している。そのため、１つの温水排出口Ｐｆａ１２に対応して、簡易二温度方式のヘッダ３０には１つの接続口３１のみが設けられている。
【００６１】
よって、簡易二温度方式の熱源機３を二温度方式の熱源機１に交換する場合、２つの温水排出口（高温温水排出口Ｐｆ１２及び低温温水排出口Ｐｆ１５）を有する二温度方式の熱源機１と、一つの接続口３１を有する簡易二温度方式のヘッダ３０とを接続する必要がある。
【００６２】
そこで、本実実施形態では、図４に示すように、二温度方式の熱源機１と簡易二温度方式のヘッダ３０との間に温度方式変換ユニット４０を設ける。
【００６３】
図４に示す温水循環暖房システム１１０は、一般的な二温度方式の熱源機１と、暖房端末Ａ、Ｂ、Ｃ（低温暖房端末Ａ、Ｂ、高温暖房端末Ｃ）と、熱源機２と、温度方式変換ユニット４０とを備えている。図４の温水循環暖房システム１１０の熱源機１、熱源機２及び暖房端末Ａ、Ｂ、Ｃそれぞれは図１の一般的な二温度方式の熱源機１、熱源機２及び暖房端末Ａ、Ｂ、Ｃと同様であるので説明を省略する。
【００６４】
温度方式変換ユニット４０は、熱源機１の高温温水排出口Ｐｆ１２及び低温温水排出口Ｐｆ１５と、ヘッダ３０の接続口３１との間に設けられている。より詳細には、温度方式変換ユニット４０は、入口４１、入口４２及び出口４３を有しており、入口４１は、熱源機１の高温温水排出口Ｐｆ１２に接続された高温熱媒往き路Ｌ１２γｄと連結されており、入口４２は、低温温水排出口Ｐｆ１５に接続された低温熱媒往き路Ｌ１５γと連結されており、出口４３は、ヘッダ３０の接続口３１に接続された熱媒往き路Ｌ１２γｅと連結されている。高温熱媒往き路Ｌ１２γｄ及び熱媒往き路Ｌ１２γｅは、図２の簡易二温度方式の熱媒往き路Ｌ１２βを分割して利用することができる。低温熱媒往き路Ｌ１５γは、低温温水排出口Ｐｆ１５からヘッダ３０の接続口３１まで新たに敷設される配管である。
【００６５】
この温度方式変換ユニット４０は、三方弁（調整弁）５０と、温度検出器Ｔと、制御部６０とを有する。三方弁５０は、温度方式変換ユニット４０の２つの入口４１、４２と出口４３との間に設けられ、２つの入口４１、４２及び１つの出口４３それぞれに対応する３つの開口を有するハウジング５１と、ハウジング５１内の弁体５３とから構成されている。この三方弁５０は、２つの入口４１、４２から導入される高温の温水及び低温の温水の流量を調整して１つの出口４３に案内する。
【００６６】
制御部６０は、三方弁５０の弁体５３を回動等させて調整し、高温熱媒往き路Ｌ１２γｄからの高温の温水及び低温熱媒往き路Ｌ１５γからの低温の温水の流量を制御する。これにより、所望の温度の温水を温度方式変換ユニット４０の出口４３に案内することができる。
【００６７】
また、温度検出器Ｔは、三方弁５０と出口４３との間に設けられており、三方弁５０から出口４３に向かう温水の温度を検出する。制御部６０が、温度検出器Ｔが検出した温水の温度に基づいて三方弁５０を制御すると好ましい。温度検出器Ｔが検出した温水の温度に基づいて三方弁５０が制御されるため、所望の温度の温水を温度方式変換ユニット４０の出口４３に案内することができる。特に温度方式変換ユニット４０の出口４３側の温水の温度を検出するため、ヘッダ３０の接続口３１に所望の温度の温水を案内可能である。
【００６８】
三方弁５０での弁体５３の制御について図５〜図７を用いてさらに説明する。
【００６９】
例えば、高温暖房端末Ｃのみが運転される場合は、制御部６０は、弁体５３を図５に示すように高温熱媒往き路Ｌ１２γｄと熱媒往き路Ｌ１２γｅとが連通するように制御する。これにより、高温熱媒往き路Ｌ１２γｄからの高温の温水が、熱媒往き路Ｌ１２γｅに排出される。よって、ヘッダ３０には高温の温水が供給される。ヘッダ３０は、熱媒往き路Ｌ１２βｃを介して高温の温水を高温暖房端末Ｃに分配する。
【００７０】
このとき、低温熱媒往き路Ｌ１５γと三方弁５０との連通は遮断されており、低温熱媒往き路Ｌ１５γからの低温の温水は熱媒往き路Ｌ１２γｅには排出されない。
【００７１】
例えば、低温暖房端末Ａ（又はＢ）のみが運転される場合は、制御部６０は、弁体５３を図６に示すように低温熱媒往き路Ｌ１５γと熱媒往き路Ｌ１２γｅとが連通するように制御する。これにより、低温熱媒往き路Ｌ１５γからの低温の温水が、熱媒往き路Ｌ１２γｅに排出される。よって、ヘッダ３０には低温の温水が供給される。ヘッダ３０は、熱媒往き路Ｌ１２βａ（又はＬ１２βｂ）を介して低温の温水を低温暖房端末Ａ（又はＢ）に分配する。
【００７２】
このとき、高温熱媒往き路Ｌ１２γｄと三方弁５０との連通は遮断されており、高温熱媒往き路Ｌ１２γｄからの高温の温水は熱媒往き路Ｌ１２γｅには排出されない。
【００７３】
例えば、高温暖房端末Ｃ及び低温暖房端末Ａ（又はＢ）がともに運転される場合は、制御部６０は、弁体５３を図７に示すように、高温熱媒往き路Ｌ１２γｄと熱媒往き路Ｌ１２γｅとが部分的に連通するように、かつ、低温熱媒往き路Ｌ１５γと熱媒往き路Ｌ１２γｅとが部分的に連通するように制御する。これにより、高温熱媒往き路Ｌ１２γｄからの高温の温水の一部が、熱媒往き路Ｌ１２γｅに排出される。また、低温熱媒往き路Ｌ１５γからの低温の温水の一部が、熱媒往き路Ｌ１２γｅに排出される。よって、ヘッダ３０には高温の温水及び低温の温水が混ざった状態の温水が供給される。ヘッダ３０は、熱媒往き路Ｌ１２βｃを介して当該温水を高温暖房端末Ｃに、熱媒往き路Ｌ１２βａ（又はＬ１２βｂ）を介して当該温水を低温暖房端末Ａ（又はＢ）に分配する。
【００７４】
暖房端末Ａ、Ｂ、Ｃを経た低温の戻り温水は、それぞれ熱媒戻り路Ｌ１４βａ、Ｌ１４βｂ、Ｌ１４βｃから熱媒戻り路Ｌ１４βを介して低温温水取込口Ｐｒ１４から熱源機１に取り込まれる。
【００７５】
上記特徴構成によれば、温度方式変換ユニット４０は、二温度方式の熱源機１と簡易二温度方式のヘッダ３０との間に介在している。具体的には、温度方式変換ユニット４０は、上流側の２つの入口４１、４２と下流側の１つの出口４３とを有している。上流側の２つの入口４１、４２は、それぞれ二温度方式の熱源機１の２つの温水排出口Ｐｆ１２、Ｐｆ１５（高温温水排出口Ｐｆ１２、低温温水排出口Ｐｆ１５）に対応している。また、下流側の１つの出口４３は、簡易二温度方式のヘッダ３０の１つの接続口３１に対応している。１つの温水排出口Ｐｆａ１２を有する簡易二温度方式の熱源機３から、２つの温水排出口Ｐｆ１２、Ｐｆ１５を有する二温度方式の熱源機１に切り換えた場合に、新たな温水排出口（温水排出口Ｐｆ１２又はＰｆ１５のいずれかであり、上記では図４の低温温水排出口Ｐｆ１５）が１つ増え、当該温水排出口からの温水を通流させるための配管（上記では、図４の低温熱媒往き路Ｌ１５γ）を新たに敷設する必要がある。
【００７６】
上記温度方式変換ユニット４０を採用した場合には、新たな温水排出口から、簡易二温度方式のヘッダ３０の接続口３１よりも手前の温度方式変換ユニット４０に至るまでの新たな配管を敷設すればよく、新たな温水排出口からヘッダ３０の接続口３１にまで至る長い配管を新たに追加で敷設する必要がない。例えば、ヘッダ３０が床下等に配置されている場合には、作業空間が狭い、暗いなどの理由等によってヘッダ３０にまで至る配管を敷設することが困難な場合がある。上記構成の温度方式変換ユニット４０を設けることで、このような困難を回避でき、二温度方式の熱源機１を簡易二温度方式の温水循環暖房システムに適用して温水循環暖房システムを容易に構築可能である。
【００７７】
なお、温度方式変換ユニット４０は、二温度方式の熱源機１と簡易二温度方式のヘッダ３０との間の流路（高温熱媒往き路Ｌ１２γｄ、熱媒往き路Ｌ１２γｅ）のうち、二温度方式の熱源機１に近い位置に設けられていると好ましい。この場合、温度方式変換ユニット４０の敷設が容易であり、簡易二温度方式の温水循環暖房システムから二温度方式の温水循環暖房システムに温度方式を容易に変更できる。特にヘッダ３０が床下等に設けられている場合には、作業空間が狭い、暗い等の理由によって、温度方式変換ユニット４０を当該ヘッダ３０の近傍に設けるのは困難である。よって、このような場合に、二温度方式の熱源機１に近い位置に温度方式変換ユニット４０を設けることが効果的である。
【００７８】
（２−２）温度方式変換ユニットを用いない構成
上記では、温度方式変換ユニット４０を用いることのメリットの一つとして、温度方式を変更した場合でも、新たな温水排出口からヘッダ３０の接続口３１にまで至る長い配管を新たに追加で敷設する必要がないと説明した。この点について、上記の温度方式変換ユニット４０を用いない構成を図８に開示しつつ説明する。
【００７９】
図８に示す温水循環暖房システム１２０では、図２の簡易二温度方式の温水循環暖房システム２００において、ヘッダ３０、暖房端末Ａ、Ｂ、Ｃ及び配管等をそのまま用いつつ、簡易二温度方式の熱源機３に代えて、図１の二温度方式の熱源機１を導入する。そして、図８では、上述した温度方式変換ユニット４０を用いない。
【００８０】
二温度方式の熱源機１を導入するために、図２の簡易二温度方式の温水循環暖房システム２００において熱源機３を取り除く。この場合、ヘッダ３０の接続口３１と接続された熱媒往き路Ｌ１２βは残存している。また、ヘッダ３０の出口３２ａ、３２ｂ、３２ｃは、それぞれ熱媒往き路Ｌ１２βａ、Ｌ１２βｂ、Ｌ１２βｃを介して暖房端末Ａ、Ｂ、Ｃに接続された状態である。この状態で、温水排出口として高温温水排出口Ｐｆ１２及び低温温水排出口Ｐｆ１５が設けられている二温度方式の熱源機１を導入した場合、これら２つの温水排出口のうちいずれかの接続先が無い。
【００８１】
つまり、図２の簡易二温度方式の温水循環暖房システム２００では、温水排出口として１つの温水排出口Ｐｆａ１２のみが設けられているため、１つの温水排出口Ｐｆａ１２とヘッダ３０の１つの接続口３１とが熱媒往き路Ｌ１２βにより接続されている。しかし、二温度方式の熱源機１は高温温水排出口Ｐｆ１２に加えて低温温水排出口Ｐｆ１５を有し、温水排出口が２つである。よって、１つの接続口３１しか有していないヘッダ３０に、２つの温水排出口を有する二温度方式の熱源機１を容易に接続することができない。
【００８２】
そこで、交換した二温度方式の熱源機１の２つの高温温水排出口Ｐｆ１２及び低温温水排出口Ｐｆ１５から、暖房端末Ａ、Ｂ、Ｃに温水を供給する方法として次の方法が考えられる。
【００８３】
一の方法としては、図２の温水排出口Ｐｆａ１２とヘッダ３０の接続口３１とを接続している熱媒往き路Ｌ１２βをそのまま利用しつつ、図８に示すように、高温温水排出口Ｐｆ１２と高温暖房端末Ｃとを接続する高温熱媒往き路Ｌ１２δに変更する。これにより、熱源機１から、高温温水排出口Ｐｆ１２、高温熱媒往き路Ｌ１２δを介して高温暖房端末Ｃに高温の温水が供給される。
【００８４】
さらに、低温温水排出口Ｐｆ１５とヘッダ３０の接続口３１とを接続する低温熱媒往き路Ｌ１５δを新たに設ける。これにより、熱源機１から、低温温水排出口Ｐｆ１５、新たな低温熱媒往き路Ｌ１５δ、ヘッダ３０、熱媒往き路Ｌ１２βａ（又はＬ１２βｂ）を介して低温暖房端末Ａ（又はＢ）に低温の温水が供給される。
【００８５】
以上の通り、温度方式変換ユニット４０を採用せずに、簡易二温度方式の温水循環暖房システム２００において、熱源機３に代えて二温度方式の熱源機１を導入した場合には、温水排出口とヘッダ３０とを接続する別途の新たな配管（上記の図８では、低温熱媒往き路Ｌ１５δ）の敷設、配管の経路の変更等が必要である。特に、簡易二温度方式のヘッダ３０が熱源機１から離れた場所に設けられている場合においては、敷設する配管が長くなる等の困難を伴う。また、ヘッダ３０が施設５の床下６等に設けられており、二温度方式の熱源機１から簡易二温度方式のヘッダ３０まで温水配管を敷設する場合には、配管敷設の工事が困難である。
【００８６】
よって、上述したように温度方式変換ユニット４０を設けることで、新たな配管の敷設を伴うことなく、二温度方式の熱源機を簡易二温度方式の温水循環暖房システムに適用して温水循環暖房システムを容易に構築可能である。
【００８７】
〔他の実施形態〕
なお上述の実施形態（他の実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【００８８】
（１）上記実施形態においてヘッダ３０は、施設５において熱源機３から離れた床下６に設けられるとした。しかし、ヘッダ３０の位置は床下に限定されず、熱源機３から離れ、ヘッダ３０までの新たな配管の敷設が困難な位置に設けられていてもよい。
【００８９】
（２）上記実施形態では、３つの低温暖房端末Ａ、Ｂ、高温暖房端末Ｃが備えられているが、暖房端末の数はこれに限定されない。例えば低温暖房端末は１つであってもよいし、３つ以上であってもよい。また、高温暖房端末は２つ以上であってもよい。
【００９０】
（３）上記実施形態では、二温度方式の熱源機１が生成する温水の温度として低温及び高温の２種類を例に挙げているが、温水の温度として低温と高温との間の中温も挙げられる。この場合、中温に対応した暖房端末が設けられていてもよい。例えば、上記実施形態の２つの低温暖房端末Ａ、Ｂを低温暖房端末Ａ及び中温暖房端末Ｂとしてもよい。中温の温水は、高温の温水と、暖房端末Ａ、Ｂ、Ｃからの戻り温水との混合の割合を調整することで生成される。
【符号の説明】
【００９１】
１          ：熱源機
３          ：熱源機
３０        ：ヘッダ（温水分配器）
３１        ：接続口
４０        ：温度方式変換ユニット
４１        ：入口
４２        ：入口
４３        ：出口
５０        ：三方弁
６０        ：制御部
１００      ：温水循環暖房システム
１１０      ：温水循環暖房システム
２００      ：温水循環暖房システム
Ａ、Ｂ、Ｃ  ：暖房端末
【図１】
2020165559.tif 000003
【図２】
2020165559.tif 000004
【図３】
2020165559.tif 000005
【図４】
2020165559.tif 000006
【図５】
2020165559.tif 000007
【図６】
2020165559.tif 000008
【図７】
2020165559.tif 000009
【図８】
2020165559.tif 000010